(57)【要約】      （修正有）【課題】コスト優位性を備えた製品仕様の目標値の決定を支援する技術を提供する。【解決手段】品質機能展開により得られた重要度と、ベンチマーク対象製品の仕様と、製品仕様を実現するために必要なコストと、を基に、重要度とコストが調和する仕様との乖離のある仕様がどの仕様であるのかを特定し一目のもとに確認できるよう設計者に示す。【選択図】図１
2009187294.tif 000002
【特許請求の範囲】
【請求項１】
製品の仕様設計を支援する装置であって、
記憶部と、制御部と、を備え、
前記記憶部は、製品の仕様ごとに重要度を特定する情報とコスト見積値を特定する情報とを記憶し、
前記制御部は、前記製品の仕様ごとに、前記重要度を特定する情報が前記製品に占める割合と、前記コスト見積値を特定する情報が前記製品に占める割合と、を算出し、
製品の仕様ごとに、算出した前記重要度を特定する情報が前記製品に占める割合と、前記コスト見積値を特定する情報が前記製品に占める割合と、の差分を算出し、
前記算出した差分の絶対値が大きいほど、設計変更の必要な度合いを高く算出する、
ことを特徴とする製品の仕様設計を支援する装置。
【請求項２】
請求項１に記載の製品の仕様設計を支援する装置であって、
さらに、出力部を備え、
前記制御部は、さらに、前記重要度を特定する情報が前記製品に占める割合を横軸にとり、前記コスト見積値を特定する情報が前記製品に占める割合を縦軸にとったグラフを作図し、前記製品仕様に相当する点を前記グラフ上に表示するよう前記出力部に指示する、
ことを特徴とする製品の仕様設計を支援する装置。
【請求項３】
請求項１または２のいずれか一項に記載の製品の仕様設計を支援する装置であって、
前記記憶部は、さらに、前記製品仕様ごとにベンチマークとなる仕様に対する評価値を特定する情報を記憶し、
前記制御部は、前記設計変更の必要な度合いを算出する際に、前記評価値を特定する情報の絶対値の大きさにあわせて、前記設計変更の必要な度合いを高く算出する、
ことを特徴とする製品の仕様設計を支援する装置。
【請求項４】
請求項１〜３のいずれか一項に記載の製品の仕様設計を支援する装置であって、
前記記憶部は、さらに、前記製品仕様ごとの、前記製品の構成部品との関連度を特定する情報を記憶し、
前記コスト見積値を特定する情報が前記製品に占める割合を算出する処理において、
前記制御部は、前記関連度を特定する情報に応じて、前記コスト見積値を特定する情報が前記製品に占める割合を算出する、
ことを特徴とする製品の仕様設計を支援する装置。
【請求項５】
請求項１〜４のいずれか一項に記載の製品の仕様設計を支援する装置であって、
前記制御部は、さらに、算出した前記設計変更の必要な度合いが大きいものから設計変更が必要な度合いの順位を高く設定する、
ことを特徴とする製品の仕様設計を支援する装置。
【請求項６】
コンピュータに、製品の仕様設計を支援する手順を実行させるプログラムであって、
前記コンピュータを、制御手段と、製品の仕様ごとに重要度を特定する情報とコスト見積値を特定する情報とを記憶する記憶手段として機能させ、
前記制御手段に対して、
前記製品の仕様ごとに、前記記憶手段に記憶された前記重要度を特定する情報が前記製品に占める割合と、前記記憶手段に記憶された前記コスト見積値を特定する情報が前記製品に占める割合と、を算出する手順と、
前記製品の仕様ごとに、算出した前記重要度を特定する情報が前記製品に占める割合と、前記コスト見積値を特定する情報が前記製品に占める割合と、の差分を算出する手順と、
前記算出した差分の絶対値に比例させて設計変更の必要な度合いを算出する手順と、
を実行させることを特徴とするプログラム。
【請求項７】
請求項６に記載のプログラムであって、
前記コンピュータを、さらに、出力手段として機能させ、
前記制御手段に対してさらに、
前記記憶手段に記憶された重要度を特定する情報が前記製品に占める割合を横軸にとり、前記記憶手段に記憶されたコスト見積値を特定する情報が前記製品に占める割合を縦軸にとったグラフを作図し、前記製品の仕様に相当する点を前記グラフ上に表示するよう前記出力手段に指示する手順、
を実行させることを特徴とするプログラム。
【請求項８】
請求項６または７のいずれか一項に記載のプログラムであって、
前記記憶手段には、さらに、前記製品の仕様ごとにベンチマークとなる仕様に対する評価値を特定する情報が記憶され、
前記設計変更の必要な度合いを算出する手順において、前記制御手段に対して、前記算出した差分の絶対値と、前記評価値を特定する情報の絶対値との積から前記設計変更の必要な度合いを算出させる、
ことを特徴とするプログラム。
【請求項９】
請求項６〜８のいずれか一項に記載のプログラムであって、
前記記憶手段には、さらに、前記製品の仕様ごとに、前記製品の構成部品との関連度を特定する情報を特定する情報と、前記製品の構成部品のコストを特定する情報と、が記憶され、
前記コスト見積値を特定する情報が前記製品に占める割合を算出する手順において、前記制御手段に対して、前記構成部品のコストを、前記関連度を特定する情報に比例するよう前記製品の仕様ごとに配分し、前記製品の仕様ごとに前記コスト見積値を特定する情報を算出させる、
ことを特徴とするプログラム。
【請求項１０】
請求項６〜９のいずれか一項に記載のプログラムであって、
前記制御手段に対して、さらに、
算出した前記設計変更の必要な度合いが大きいものから設計変更が必要な度合いの順位を高く設定する手順、
を実行させることを特徴とするプログラム。
【請求項１１】
製品仕様設計支援システムであって、
製品の仕様設計を支援する装置と、
製品の仕様ごとに重要度を特定する情報とコスト見積値を特定する情報とを記憶部に記憶している品質機能展開支援装置と、を備え、
前記品質機能展開支援装置は、前記製品の仕様設計を支援する装置からの要求を受けつけ、製品の仕様ごとに前記重要度を特定する情報と前記コスト見積値を特定する情報とを前記製品の仕様設計を支援する装置に対して出力し、
前記製品の仕様設計を支援する装置の制御部は、出力された製品の仕様ごとに前記重要度を特定する情報と前記コスト見積値を特定する情報とを受け取り、
前記製品の仕様ごとに、前記重要度を特定する情報が前記製品に占める割合と、前記コスト見積値を特定する情報が前記製品に占める割合と、を算出し、
前記製品の仕様ごとに、算出した前記重要度を特定する情報が前記製品に占める割合と、前記コスト見積値を特定する情報が前記製品に占める割合と、の差分を算出し、
前記算出した差分が大きいほど、設計変更の必要な度合いを高く算出する、
ことを特徴とする製品仕様設計支援システム。
【発明の詳細な説明】
【技術分野】
【０００１】
本発明は、製品仕様の設計を支援する技術に関する。
【背景技術】
【０００２】
従来、製品仕様の目標値の決定方法として品質機能展開（ＱＦＤ：Quality  Function  Deployment）が用いられている。
【０００３】
品質機能展開は、顧客の要求と設計対象製品の製品仕様とを、予め用意したマトリックスを用いて製品仕様ごとの重要度を算出する技法である。
【０００４】
設計者は、製品仕様の重要度とベンチマーク対象製品の仕様値を参考にすることにより、設計対象製品の製品仕様の目標値を決定する。
【０００５】
このような品質機能展開の技法に基づき、設計者等のユーザーによる製品仕様の目標値の決定を支援する技術として、複数製品における顧客満足度と製品仕様値の間の関係を計算して、目標の顧客満足度に対し製品仕様の目標値が適切であるかを判別する技術がある（特許文献１）。
【０００６】
【特許文献１】特開２００２−３５８３３２号公報
【発明の開示】
【発明が解決しようとする課題】
【０００７】
上記特許文献１に記載の技術では、ユーザーがベンチマーク対象製品の仕様値を全て上回る高い製品仕様の目標値を決定してしまうと、目標コストを上回る製品仕様を設計してしまう場合がある。このような場合には、コストが目標値を上回り、顧客に対するベンチマーク対象製品からの優位性を持つことができない。
【０００８】
そこで、本発明は、コスト優位性を備えた製品仕様の設計を支援する技術の提供を目的とする。
【課題を解決するための手段】
【０００９】
本願に係る製品仕様の決定を支援する技術は、上記課題を解決するため、品質機能展開により得られた重要度と、ベンチマーク対象製品の仕様と、製品仕様を実現するために必要なコストと、を調和させるために必要な情報を算出し表示する。
【００１０】
例えば、製品の仕様設計を支援する装置であって、記憶部と、制御部と、を備え、前記記憶部は、製品の仕様ごとに重要度を特定する情報とコスト見積値を特定する情報とを記憶し、前記制御部は、前記製品の仕様ごとに、前記重要度を特定する情報が前記製品に占める割合と、前記コスト見積値を特定する情報が前記製品に占める割合と、を算出し、製品の仕様ごとに、算出した前記重要度を特定する情報が前記製品に占める割合と、前記コスト見積値を特定する情報が前記製品に占める割合と、の差分を算出し、前記算出した差分が大きいほど、設計変更の必要な度合いを高く算出する、ことを特徴とする。
【発明の効果】
【００１１】
コスト優位性を備えた製品仕様の目標値の決定について、ユーザーを支援する技術を提供できる。
【発明を実施するための最良の形態】
【００１２】
図１は、本発明の実施形態の製品仕様目標値決定支援システム１を示す図である。
【００１３】
製品仕様目標値決定支援システム１は、製品仕様目標値決定支援装置１００と、ネットワーク１５０を介して製品仕様目標値決定支援装置１００と通信を行うことができる品質機能展開支援システム１８０と、を有する。
【００１４】
なお、製品仕様目標値決定支援システム１は、品質機能展開支援システム１８０を複数有するものであっても良いし、製品仕様目標値決定支援装置１００を複数台有するものであっても良い。
【００１５】
製品仕様目標値決定支援装置１００は、記憶部１２０と、制御部１３０と、送受信部１４０と、入力部１４１と、出力部１４２と、を備える。
【００１６】
記憶部１２０は、品質機能展開情報テーブル２００を格納する品質機能展開情報記憶領域１２１と、評価情報テーブル３００を格納する評価情報記憶領域１２２と、見積情報テーブル４００を格納する見積情報記憶領域１２３と、変更必要度テーブル５００を格納する変更必要度記憶領域１２４と、を備える。
【００１７】
図２に、品質機能展開情報を記憶する品質機能展開情報テーブル２００の構成例を示す。
【００１８】
品質機能展開情報テーブル２００は、製品が備える仕様と、その仕様に関する構成部品と、を関連付ける情報を記憶するテーブルである。
【００１９】
具体的には、品質機能展開情報テーブル２００は、品質機能展開情報テーブルの列を識別する列識別子欄２０１と、製品仕様名称欄２０２と、製品仕様単位欄２０３と、製品仕様重要度欄２０４と、製品仕様重要度ウェート（％）欄２０５と、製品仕様の目標値欄２０６と、ベンチマーク対象製品仕様値欄２０７と、構成部品欄２０８と、コスト見積値合計欄２０９と、コスト単位欄２１０と、部品コスト見積値欄２１１と、行識別子欄２１２と、を有する。
【００２０】
列識別子欄２０１には、製品の仕様ごとに割り当てた品質機能展開情報テーブル２００の列を識別する識別子を示す情報が記憶される。例えば、「１」、「２」、・・・、「ｎ」（ｎは正の整数）等の重複しない番号である。
【００２１】
製品仕様名称欄２０２には、製品の仕様を表す名称を示す情報が記憶される。例えば、「仕様Ａ１」、「仕様Ａ２」、等である。
【００２２】
製品仕様単位欄２０３には、製品の仕様を表す値の単位を示す情報が記憶される。例えば、「ｋｗ（キロワット）」、「ｒｐｍ（回転数／分）」、等である。
【００２３】
製品仕様重要度欄２０４には、製品仕様重要度を示す情報が記憶される。
【００２４】
製品仕様重要度とは、製品仕様を設計するに際して製品仕様を重視するべき度合いであり、その度合いは、品質機能展開支援システム１８０により算出される値により表現される。
【００２５】
製品仕様重要度ウェート（％）欄２０５には、製品仕様重要度ウェートを示す情報が記憶される。
【００２６】
製品仕様重要度ウェートとは、設計対象の製品における製品仕様の相対的な重要度を示す値である。製品仕様重要度ウェートは、例えば、仕様ごとに個別に算出された製品仕様重要度の構成比率に応じて百分率で算出される。
【００２７】
製品仕様の目標値欄２０６には、製品仕様の設計の目標とすべき値を示す情報が記憶される。製品仕様の目標値は、例えば、品質機能展開支援システム１８０により算出される値を用いる。
【００２８】
ベンチマーク対象製品仕様値欄２０７には、ベンチマーク対象の製品が備える製品仕様の値を示す情報が記憶される。
【００２９】
例えば、ベンチマーク対象の製品が備える製品仕様の値を示す情報は、予め、品質機能展開支援システム１８０に記憶された値を用いる。
【００３０】
構成部品欄２０８には、製品を構成する構成部品について、製品仕様との関連度を示す情報が記憶される。
【００３１】
例えば、製品仕様について、関連度が高い構成部品については製品仕様内で相対的に高い値が記録され、関連度が低い構成部品については相対的に低い値が記録される。
【００３２】
コスト見積値合計欄２０９には、後述する部品コスト見積値を示す情報を合計した値が記憶される。
【００３３】
コスト単位欄２１０には、コスト見積値合計欄２０９および部品コスト見積値欄２１１に記憶されているコストの単位を示す情報が記憶される。例えば、「円」等の通貨単位である。
【００３４】
部品コスト見積値欄２１１には、構成部品欄２０８の構成部品ごとに見積もった部品コスト見積値を示す情報が記憶される。
【００３５】
行識別子欄２１２には、部品構成欄２０８の各部品を識別するための識別子として重複無く付与された行識別子を示す情報が記憶される。例えば、「１」、「２」、・・・、「ｎ」（ｎは正の整数）等の重複しない番号である。
【００３６】
図３に、評価情報を記憶する評価情報テーブル３００の構成例を示す。
【００３７】
評価情報テーブル３００は、製品が備える仕様ごとに、設計者が入力する値を記憶するテーブルである。ここで、設計者が入力する値は、理想的な製品仕様の値を示す情報と、製品仕様の目標値がベンチマーク対象製品からどの程度優れているかという評価の結果の値を示す情報と、製品の目標コストを示す情報と、により構成される。
【００３８】
具体的には、評価情報テーブル３００は、評価情報テーブルの列を識別する列識別子欄３０１と、製品仕様の第一の評価基準である製品仕様の最良値欄３０２と、製品仕様の第二の評価基準である製品仕様のユーザ評価欄３０３と、製品の目標コスト欄３０４と、を有する。
【００３９】
列識別子欄３０１には、製品の仕様ごとに割り当てた品質機能展開情報テーブル２００の列を識別する識別子に対応する値を示す情報が記憶される。例えば、「１」、「２」、・・・、「ｎ」（ｎは正の整数）等の重複しない番号である。
【００４０】
製品仕様の第一の評価基準である製品仕様の最良値欄３０２には、製品仕様について、設計者であるユーザーがコストの制約を除いた場合に対象製品にとって最適であると認識する製品の仕様値を示す情報であって、ユーザーにより入力された値が記憶される。例えば、製品仕様の目標値を超える値が記憶される。
【００４１】
製品仕様の第二の評価基準である製品仕様のユーザ評価欄３０３には、製品仕様の目標値に対して設計者であるユーザーが付与する評価値を示す情報であって、ユーザーにより入力された値が記憶される。
【００４２】
ここで、評価値は、設計者であるユーザーにより決定される。評価値は、製品仕様の目標値がベンチマーク対象製品に比較して優れている場合には、優れている度合いが大きい程に大きい値が設定され、優劣がない場合にはゼロの値が設定され、劣っている場合には、劣っている度合いが大きい程、絶対値の大きい負の数が設定される。
【００４３】
例えば、優れている度合いが大きいほどに、＋９、＋３、＋１のいずれかの評価値を設定（すなわち、最も優れている場合の評価値は＋９。）し、優劣がつけられない場合には０の評価値を設定し、劣っている度合いが大きいほどに、−９、−３、−１のいずれかの評価値を設定（すなわち、最も劣っている場合の評価値は−９。）する。
【００４４】
製品の目標コスト欄３０４には、製品仕様に応じて算出されるコストの目標値を示す情報であって、ユーザーにより入力された値が記憶される。
【００４５】
図４に、見積情報を記憶する見積情報テーブル４００の構成例を示す。
【００４６】
見積情報テーブル４００は、製品が備える仕様ごとに、見積もったコスト等の値を示す情報を記憶するテーブルである。見積もったコスト等の値には、製品仕様の目標値がベンチマーク対象製品に比べて優れている度合いを示す評価の結果の値を示す情報と、製品仕様のコストを見積もった結果の値を示す情報と、具体的な製品における製品仕様のコストの見積値から算出した製品仕様のコストの製品内に占めるウェートを示す情報と、製品のコスト見積値が目標コストを超過する割合を示す情報と、により構成される。
【００４７】
具体的には、見積情報テーブル４００は、見積情報テーブルの列を識別する列識別子欄４０１と、製品仕様の評価値である製品仕様の評価値欄４０２と、製品仕様コスト見積値欄４０３と、製品仕様コスト見積値ウェート（％）欄４０４と、コスト超過の割合欄４０５と、を有する。
【００４８】
列識別子欄４０１には、製品の仕様ごとに割り当てた品質機能展開情報テーブル２００の列を識別する識別子に対応する値を示す情報が記憶される。例えば、「１」、「２」、・・・、「ｎ」（ｎは正の整数）等の重複しない番号である。
【００４９】
製品仕様を評価した値である製品仕様の評価値欄４０２には、製品仕様の評価を行った結果である評価値を示す情報が記憶される。
【００５０】
ここで、評価値は、製品仕様の目標値がベンチマーク対象製品に比較して優れている場合には、優れている度合いが大きい程に大きい値が設定され、優劣がない場合にはゼロの値が設定され、劣っている場合には、劣っている度合いが大きい程、絶対値の大きい負の数が設定される。
【００５１】
例えば、優れている度合いが大きいほどに、＋９、＋３、＋１のいずれかの評価値が設定（すなわち、最も優れている場合の評価値は＋９。）され、優劣がつけられない場合には０の評価値が設定され、劣っている度合いが大きいほどに、−９、−３、−１のいずれかの評価値が設定（すなわち、最も劣っている場合の評価値は−９。）される。
【００５２】
製品仕様コスト見積値欄４０３には、製品仕様を実現するために必要な構成部品を元に算出した製品仕様毎のコスト見積値を示す情報が記憶される。
【００５３】
製品仕様コスト見積値ウェート（％）欄４０４には、製品仕様ごとに算出したコスト見積値を示す情報を製品内でのコストの占める割合に換算した値を示す情報が記憶される。例えば、割合は百分率で示される。
【００５４】
コスト超過の割合欄４０５には、見積もった製品のコストを示す情報が目標コストの何倍であるかを示す倍率を示す情報が記憶される。例えば、「１．１１」等（即ち、目標コストの１．１１倍のコスト見積値であることを示す。）である。
【００５５】
図５に、変更必要度を記憶する変更必要度テーブル５００の構成例を示す。
【００５６】
変更必要度テーブル５００は、製品が備える仕様ごとに、目標値の変更が必要な度合い等を記憶するテーブルである。変更が必要な度合い等には、製品仕様の目標値を変更する必要性を数値化した変更必要度と、変更すべき方向を示す情報と、その製品仕様の変更すべき相対順位を示す情報と、により構成される。
【００５７】
具体的には、変更必要度テーブル５００は、変更必要度テーブルの列を識別する列識別子欄５０１と、製品仕様の変更必要度を示す製品仕様目標値の変更必要度欄５０２と、製品仕様目標値の変更必要度を元に算出された変更の方向を含む製品仕様目標値の変更必要度ランク欄５０３と、を有する。
【００５８】
列識別子欄５０１には、製品の仕様ごとに割り当てた品質機能展開情報テーブル２００の列を識別する識別子を示す情報に対応する値が記憶される。例えば、「１」、「２」、・・・、「ｎ」（ｎは正の整数）等の重複しない番号である。
【００５９】
製品仕様目標値の変更必要度欄５０２には、製品仕様目標値を変更する必要のある度合いを表す変更必要度を示す情報が記憶される。変更必要度は、例えば、「５５」、「９１．２」等の数値で表される。
【００６０】
ここで、変更必要度は、その絶対値が大きいほど、変更が必要である度合いが高い。
【００６１】
製品仕様目標値の変更必要度ランク欄５０３には、製品仕様目標値を変更する必要のある度合いを元に算出する製品内での相対的な変更必要度のランクを示す情報が記憶される。
【００６２】
変更必要度のランクとは、製品仕様値の低減が必要である「低減候補」および製品仕様値の向上が必要である「向上候補」ごとにその優先度順位をつけたランクである。
【００６３】
例えば、「低減候補１」は目標値を低減させる対象として最適であると判断される製品仕様に対して付され、「低減候補２」はその次に低減させる対象として適すると判断される仕様に対して付される。「向上候補１」は目標値を向上させる対象として最適であると判断される製品仕様に対して付され、「向上候補２」はその次に向上させる対象として適すると判断される仕様に対して付される。
【００６４】
図１に説明を戻す。
【００６５】
製品仕様目標値決定支援装置１００の制御部１３０は、品質機能展開情報取得部１３１と、入力受付部１３２と、製品仕様見積算出部１３３と、評価値算出部１３４と、変更必要度算出部１３５と、出力表示部１３６と、を有する。
【００６６】
ここで、製品仕様目標値決定支援装置１００の制御部１３０が有する各処理部について、図６を用いて説明する。
【００６７】
図６は、制御部１３０が有する各処理部とデータの流れの関係図を示すものである。
【００６８】
品質機能展開情報取得部１３１は、後述する送受信部１４０を介して品質機能展開支援システム１８０から品質機能展開に関する情報を取得し、取得した情報を品質機能展開情報記憶領域１２１に記憶させる。
【００６９】
より具体的には、品質機能展開情報取得部１３１は、特定した品質機能展開支援システム１８０のサーバから、製品を識別する情報に対応する製品の製品仕様名称と、製品仕様単位と、製品仕様重要度と、製品仕様重要度ウェート（％）と、製品仕様の目標値と、ベンチマーク対象製品仕様値と、構成部品と、構成部品と製品仕様との関連度と、コスト見積値合計と、コスト単位と、部品コスト見積値と、行識別子と、を受信する。
【００７０】
そして、品質機能展開情報取得部１３１は、製品の製品仕様名称を品質機能展開情報記憶領域１２１の品質機能展開情報テーブル２００の製品仕様名称欄２０２に、記憶させるよう記憶部１２０に指示する。
【００７１】
同様に、品質機能展開情報取得部１３１は、製品仕様単位を製品仕様単位欄２０３に、製品仕様重要度を製品仕様重要度欄２０４に、製品仕様重要度ウェート（％）を製品仕様重要度ウェート（％）欄２０５に、製品仕様の目標値を製品仕様の目標値欄２０６に、ベンチマーク対象製品仕様値をベンチマーク対象製品仕様値欄２０７に、構成部品と、構成部品と製品仕様との関連度と、を構成部品欄２０８に、コスト見積値合計をコスト見積値合計欄２０９に、コスト単位をコスト単位欄２１０に、部品コスト見積値を部品コスト見積値欄２１１に、行識別子を行識別子欄２１２に、それぞれ記憶させるよう記憶部１２０に指示する。
【００７２】
入力受付部１３２は、設計者であるユーザーの入力指示を受け付ける。例えば、キーボードやマウスなどの入力装置を介して検知した入力操作を受け付けて、操作内容を制御部１２０へ伝える。
【００７３】
製品仕様見積算出部１３３は、品質機能展開情報記憶領域１２１に記憶された情報を元に、製品仕様毎にコストを見積り、製品仕様コストとして算出する。また、製品仕様コストを製品毎に集計してコスト見積値合計を算出する。
【００７４】
具体的には、製品仕様見積算出部１３３は、品質機能展開情報テーブル２００の部品コスト見積値欄２１１の値を元に、構成部品欄２０８に記憶された製品仕様毎の関連度を考慮して製品仕様毎のコスト見積値を算出する。
【００７５】
その見積りに際しては、下記式（１）を用いて製品仕様毎のコストを算出する。
2009187294.tif 000003
上記式（１）のｍの値は、品質機能展開情報テーブル２００の構成部品欄２０８に記憶された構成部品の数、すなわち構成部品欄２０８の行数を指す。また、上記式（１）のｎの値は、品質機能展開情報テーブル２００のうち、一製品に含まれる製品仕様の数、すなわち列数を指す。
【００７６】
上記式（１）は、製品を構成する構成部品ごとに各製品仕様の関連度に応じて重み付けに従って部品コスト見積値欄２１１に記憶された見積値を配分することで、製品仕様別のコスト見積値を算出し、算出した製品仕様ごとのコスト見積値をもとに、構成部品のコスト見積りを合算することで製品仕様ごとのコスト見積値を算出することを意味する式である。
【００７７】
すなわち、構成部品ごとのコストを、構成部品と製品仕様との関連度に応じて、製品仕様ごとのコスト見積値として算出する式である。
【００７８】
そして、製品仕様見積算出部１３３は、製品仕様毎に、算出した製品仕様ごとのコスト見積値を見積情報テーブル４００の製品仕様見積値欄４０２に記憶させるよう記憶部１２０に指示する。
【００７９】
そして、製品仕様見積算出部１３３は、製品仕様ごとに、コスト見積値合計に対するコストのウェートを算出する。
【００８０】
また、製品仕様見積算出部１３３は、目標コストに対するコスト見積値合計の割合を算出する。
【００８１】
またさらに、製品仕様見積算出部１３３は、算出した製品仕様ごとのコストのウェートと、算出したコスト見積値合計の割合を、見積情報記憶領域１２３に記憶させるよう記憶部１２０に指示する。
【００８２】
評価値算出部１３４は、品質機能展開情報記憶領域１２１に記憶された情報と、評価情報記憶領域１２２に記憶された情報と、を元に、製品仕様毎に評価値を算出する。
【００８３】
そして、評価値算出部１３４は、算出した評価値を、見積情報記憶領域１２３に記憶させるよう記憶部１２０に指示する。
【００８４】
具体的には、評価値算出部１３４は、各製品仕様の評価値について、評価情報データベース３００の製品仕様の第二の評価基準である製品仕様のユーザ評価入力欄３０３の値を取得し、その値を見積情報データベース４００の対応する列識別子により識別される製品仕様の評価値欄４０２に記憶させるよう記憶部１２０に指示する。
【００８５】
このとき、製品仕様のユーザ評価入力欄３０３に記憶された値が初期値である場合には、評価値算出部１３４は、評価値を算出する。そして、評価値算出部１３４は、対応する列識別子により識別される製品仕様の評価値欄４０２に算出した評価値を記憶させるよう記憶部１２０に指示する。
【００８６】
なお、製品仕様の評価値の算出は、下記手順を用いて算出する。
【００８７】
まず、評価値算出部１３４は、算出する製品仕様について、品質機能展開情報データベース２００の製品仕様の目標値欄２０６に記憶された値と、評価情報データベース３００の製品仕様の第一の評価基準である製品仕様の最良値欄３０２に記憶された値と、の差分の絶対値を第一の差分として求める。
【００８８】
次に、評価値算出部１３４は、算出する製品仕様について、品質機能展開情報データベース２００のベンチマーク対象製品仕様値欄２０７に記憶された値と、評価情報データベース３００の製品仕様の第一の評価基準である製品仕様の最良値欄３０２に記憶された値と、差分の絶対値を第二の差分として求める。
【００８９】
そして、評価値算出部１３４は、第一の差分と、第二の差分と、を比較して、第一の差分の値のほうが第二の差分の値よりも小さい場合には、評価値を「＋３」と算出する。
【００９０】
第一の差分の値のほうが第二の差分の値よりも大きい場合には、評価値算出部１３４は、評価値を「−３」と算出する。
【００９１】
第一の差分の値と第二の差分の値とが等しい場合には、評価値算出部１３４は、評価値を「０」と算出する。
【００９２】
このようにして、評価値算出部１３４は、製品仕様ごとに評価値を算出し、算出した評価値を製品仕様の評価値欄４０２に記憶させる。
【００９３】
変更必要度算出部１３５は、見積情報記憶領域１２３に記憶された情報を元に、変更必要度を算出する。
【００９４】
また、変更必要度算出部１３５は、算出した製品仕様毎の変更必要度から、製品内における製品仕様目標値の変更必要度ランクを算出する。
【００９５】
そして、変更必要度算出部１３５は、算出した変更必要度と、変更必要度ランクと、を変更必要度記憶領域１２４に記憶させる。
【００９６】
具体的には、変更必要度算出部１３５は、製品仕様ごとに、品質機能展開情報テーブル２００の製品仕様重要度ウェート（％）欄２０５に記憶された値と、見積情報テーブル４００の製品仕様の評価値欄４０２に記憶された値と、製品仕様コスト見積値ウェート（％）欄４０４に記憶された値と、コスト超過の割合欄４０５に記憶された値と、を用いて、下記式（２）に従って各製品仕様目標値の変更必要度を算出する。
2009187294.tif 000004
上記式（２）では、変更必要度は、製品仕様コスト見積値のウェートと製品仕様の重要度のウェートの差分、すなわちコストと重要度がバランスする点からの差分が大きいほど、または、仕様に対する評価値が極端であるほど、絶対値が大きくなるよう算出される。
【００９７】
すなわち、式（２）は、なるべくコストと重要度がバランスする点に仕様を収束させる方向性を持つことを意識した変更必要度の算出式である。
【００９８】
そのため、上記式（２）に限らず、同様の方向性を持つ変更必要度を算出する式であれば、他の式であってもよい。
【００９９】
また、変更必要度算出部１３５は、変更必要度欄５０２に記憶された値のうち、正の値であるものを取り出し、その値の大きい方から順に低減候補の高いランク（順位）を付け、所定のランク、例えば第５位までのランクを付与する。
【０１００】
例えば、「低減候補１」は最も高いランクの低減候補であり、「低減候補２」、「低減候補３」、・・・という順にランクが下がるものとする。
【０１０１】
そして、変更必要度算出部１３５は、変更必要度欄５０２に記憶された値のうち、負の値であるものを取り出し、その絶対値の大きい方から順に向上候補の高いランク（順位）を付け、所定のランク、例えば第５位までランクを付与する。
【０１０２】
例えば、「向上候補１」は最も高いランクの向上候補であり、「向上候補２」、「向上候補３」、・・・という順にランクが下がるものとする。
【０１０３】
このようにして、変更必要度算出部１３５は、変更必要度と変更必要度ランクとを算出する。
【０１０４】
出力表示部１３６は、品質機能展開情報記憶領域１２１に記憶された情報と、評価情報記憶領域１２２に記憶された情報と、見積情報記憶領域１２３に記憶された情報と、変更必要度記憶領域１２４に記憶された情報と、を元に、出力表示する画面に表示させる情報を作成し、後述する出力部１４２に表示させる。
【０１０５】
例えば、出力表示部１３６は、後述する画面６００および画面７００を構成し、出力部１４２に対して構成した画面６００および画面７００を表示するよう指示を行う。
【０１０６】
ここで、図９に示す画面６００を説明する。
【０１０７】
画面６００は、製品についての製品仕様をユーザーに示し、製品仕様の最良値と、製品仕様のユーザ評価と、製品の目標コストと、の入力を受け付ける画面である。
【０１０８】
画面６００は、列識別子表示領域６０１と、製品仕様名称表示領域６０２と、製品仕様単位表示領域６０３と、製品仕様重要度表示領域６０４と、製品仕様重要度ウェート（％）表示領域６０５と、製品仕様の目標値表示領域６０６と、ベンチマーク対象製品仕様値表示領域６０７と、製品仕様の第一の評価基準である製品仕様の最良値入力領域６０８と、製品仕様の第二の評価基準である製品仕様のユーザ評価入力領域６０９と、構成部品表示領域６１０と、コスト見積値合計表示領域６１１と、製品の目標コスト入力領域６１２と、コスト単位表示領域６１３と、部品コスト見積値表示領域６１４と、行識別子表示領域６１５と、により構成される。
【０１０９】
また、これらの表示領域は、製品仕様ごとに区切られている。
【０１１０】
列識別子表示領域６０１は、製品の仕様を識別する列の識別子を表示する領域である。
【０１１１】
例えば、「１」、「２」、・・・、「ｎ」（ｎは正の整数）等の重複しない番号を表示する。
【０１１２】
製品仕様名称表示領域６０２は、製品の仕様を表す名称を表示する領域である。例えば、「仕様Ａ１」、「仕様Ａ２」、等である。
【０１１３】
製品仕様単位表示領域６０３は、製品の仕様を表す値の単位を表示する領域である。例えば、「ｋｗ（キロワット）」、「ｒｐｍ（回転数／分）」、等である。
【０１１４】
製品仕様重要度表示領域６０４は、製品仕様重要度を表示する領域である。製品仕様重要度とは、製品仕様を設計するに際して製品仕様を重視するべき度合いであり、その度合いは、品質機能展開支援システム１８０により算出される値により表現される。
【０１１５】
製品仕様重要度ウェート（％）表示領域６０５は、製品仕様重要度ウェートを表示する領域である。
【０１１６】
製品仕様重要度ウェートとは、設計対象の製品における製品仕様の相対的な重要度を示す値である。製品仕様重要度ウェートは、例えば、仕様ごとに個別に算出された製品仕様重要度の構成比率に応じて百分率で算出される。
【０１１７】
製品仕様の目標値表示領域６０６は、製品仕様の設計の目標とすべき値を表示する領域である。製品仕様の目標値は、例えば、品質機能展開支援システム１８０により算出される値を用いる。
【０１１８】
ベンチマーク対象製品仕様値表示領域６０７は、ベンチマーク対象の製品が備える製品仕様の値を表示する領域である。
【０１１９】
例えば、ベンチマーク対象の製品が備える製品仕様の値は、予め、品質機能展開支援システム１８０に記憶された値を用いる。
【０１２０】
製品仕様の第一の評価基準である製品仕様の最良値入力領域６０８は、製品仕様について、コストの制約を除いた場合に対象製品にとって最適であると設計者であるユーザーが認識する製品の仕様値の入力を受け付ける領域である。例えば、入力受付部１３２は、製品仕様の目標値を超える値等の入力を受け付け、出力表示部１３６は、受け付けた値を表示する。
【０１２１】
製品仕様の第二の評価基準である製品仕様のユーザ評価入力領域６０９は、製品仕様の目標値に対して設計者が付与する評価値の入力を受け付ける領域である。例えば、入力受付部１３２は、製品仕様の目標値に対する評価値の入力を受け付け、出力表示部１３６は、受け付けた値を表示する。
【０１２２】
ここで、評価値は、設計者であるユーザーにより決定される。評価値は、製品仕様の目標値がベンチマーク対象製品に比較して優れている場合には、優れている度合いが大きい程に大きい値が設定され、優劣がない場合にはゼロの値が設定され、劣っている場合には、劣っている度合いが大きい程、絶対値の大きい負の数が設定される。
【０１２３】
例えば、優れている度合いが大きいほどに、＋９、＋３、＋１のいずれかの評価値を設定（すなわち、最も優れている場合の評価値は＋９。）し、優劣がつけられない場合には０の評価値を設定し、劣っている度合いが大きいほどに、−９、−３、−１のいずれかの評価値を設定（すなわち、最も劣っている場合の評価値は−９。）する。
【０１２４】
構成部品表示領域６１０は、製品を構成する構成部品について、製品仕様との関連度を表示する領域である。例えば、製品仕様について、関連度が高い構成部品については製品仕様内で相対的に高い値を表示し、関連度が低い構成部品については相対的に低い値を表示する。
【０１２５】
コスト見積値合計表示領域６１１は、部品コスト見積値を合計した値を表示する領域である。
【０１２６】
コスト単位表示領域６１３は、コスト見積値合計表示領域６１１および部品コスト見積値表示領域６１４に表示するコストの単位を表示する領域である。例えば、「円」等の通貨単位である。
【０１２７】
部品コスト見積値表示領域６１４は、構成部品表示領域６１０の構成部品ごとに見積もったコストを表示する。
【０１２８】
行識別子表示領域６１５は、構成部品表示領域６１０に表示される各部品を識別するための識別子として重複無く付与された行識別子を表示する領域である。例えば、「１」、「２」、・・・、「ｎ」（ｎは正の整数）等の重複しない番号である。
【０１２９】
出力表示部１３６は、品質機能展開情報記憶領域１２０の品質機能展開情報テーブル２００から情報を取得し、画面６００の対応する領域に情報を表示するように画面を作成する。
【０１３０】
図１０は、変更必要度等の情報を表示する画面７００である。
【０１３１】
図１０に示す画面７００を説明する。
【０１３２】
画面７００は、設計対象の製品についての製品仕様と、コスト見積値と、の関係をグラフや表を用いて示す画面である。
【０１３３】
画面７００は、グラフ表示領域７０１と、コスト情報表示領域７０２と、製品仕様詳細表示領域８００と、により構成される。
【０１３４】
このうち、グラフ表示領域７０１は、製品仕様重要度ウェートを横軸７０１１にとり、製品仕様コスト見積値ウェートを縦軸７０１２にとったグラフを表示する領域である。
【０１３５】
グラフ表示領域７０１には、製品仕様の重要度と目標コストに見合ったバランス点を示す直線７０１３と、製品仕様ごとのコスト見積値ウェートと重要度ウェートに対応するグラフ上の点７０１４と、を表示する領域である。
【０１３６】
なお、グラフ上の点７０１４は、配置される位置と、点の形状と、点の大きさ（面積）と、点の色（濃度）と、を特徴点とし、１点は１製品仕様に対応するものである。
【０１３７】
すなわち、製品仕様ごとに、製品仕様の特徴により定まる特徴点を備える一点が表示される。
【０１３８】
また、グラフ上の点７０１４は、ユーザーから詳細表示を行う指示入力を入力部１４１を介して受け付けることが可能となるよう構成される。
【０１３９】
ここで、画面７００のグラフ表示領域７０１は、具体的には、出力表示部１３６により、図１１に示すように構成される。
【０１４０】
図１１は、画面７００のグラフ表示領域７０１の図の例を拡大して示したものである。
【０１４１】
具体的には、コスト超過の割合７０２３の欄に表示した値の逆数を傾きとする直線７０１３が示され、６種類の仕様についてグラフ上の点が示されている。
【０１４２】
第一の点９００は濃い大きな円形として直線７０１３の左上方に表示され、第二の点９０１は薄い大きな四角形として直線７０１３の右下方に表示され、第三の点９０２は薄い大きな四角形として直線７０１３の左上方に表示され、第四の点９０３はやや濃い大きな円形として直線７０１３の左上方に表示され、第五の点９０４は薄い大きな円形として直線７０１３の右下方に表示され、第六の点９０５は濃い大きな三角形として直線７０１３の右下方に表示される。
【０１４３】
コスト情報表示領域７０２は、コスト見積値合計表示領域７０２１と、製品の目標コスト表示領域７０２２と、コスト超過の割合表示領域７０２３と、コスト単位表示領域７０２４と、を有する。
【０１４４】
コスト見積値合計表示領域７０２１には、コスト見積値の合計が表示される。
【０１４５】
製品の目標コスト表示領域７０２２には、目標コストが表示される。
【０１４６】
コスト超過の割合表示領域７０２３には、コスト超過の割合、即ち目標コストに対するコスト見積値の比率が表示される。この比率が１であれば、目標コストとコスト見積値が同額であることを示し、比率が１を超える場合には、コスト見積値が目標コストを超えている、すなわちコスト超過の状態であることを示す。
【０１４７】
コスト単位表示領域７０２４には、コスト見積値合計表示領域７０２１に表示される値と、製品の目標コスト表示領域７０２２に表示される値と、の通貨単位が表示される。例えば、「円」、「米ドル」または「ユーロ」等である。
【０１４８】
製品仕様詳細表示領域８００は、製品仕様名称表示領域８００１と、製品仕様単位表示領域８００２と、製品仕様重要度表示領域８００３と、製品仕様重要度ウェート（％）表示領域８００４と、製品仕様の目標値表示領域８００５と、ベンチマーク対象製品仕様値表示領域８００６と、製品仕様の評価値表示領域８００７と、製品仕様の第一の評価基準である最良値表示領域８００８と、製品仕様の第二の評価基準であるユーザ評価表示領域８００９と、製品仕様目標値の変更必要度表示領域８０１０と、製品仕様目標値の変更必要度ランク表示領域８０１１と、構成部品表示領域８０１２と、部品コスト見積値表示領域８０１３と、コスト見積値８０１４と、コスト見積値ウェート（％）表示領域８０１５と、により構成される。
【０１４９】
製品仕様名称表示領域８００１は、製品の仕様を表す名称を示す情報を表示する領域である。例えば、「仕様Ａ１」、「仕様Ａ２」、等である。
【０１５０】
製品仕様単位表示領域８００２は、製品の仕様を表す値の単位を示す情報を表示する領域である。例えば、「ｋｗ（キロワット）」、「ｒｐｍ（回転数／分）」、等である。
【０１５１】
製品仕様重要度表示領域８００３は、製品仕様重要度を示す情報を表示する領域である。製品仕様重要度とは、製品仕様を設計するに際して製品仕様を重視するべき度合いである。
【０１５２】
製品仕様重要度ウェート（％）表示領域８００４は、製品仕様重要度ウェートを示す情報を表示する領域である。製品仕様重要度ウェートとは、設計対象の製品における製品仕様の相対的な重要度を示す値である。製品仕様重要度ウェートは、例えば、仕様ごとに個別に算出された製品仕様重要度の構成比率に応じて百分率で算出される。
【０１５３】
製品仕様の目標値表示領域８００５は、製品仕様の設計の目標とすべき値を示す情報を表示する領域である。
【０１５４】
ベンチマーク対象製品仕様値表示領域８００６は、ベンチマーク対象の製品が備える製品仕様の値を示す情報を表示する領域である。
【０１５５】
製品仕様の評価値表示領域８００７は、製品仕様の評価を行った結果である評価値を示す情報を表示する領域である。
【０１５６】
製品仕様の第一の評価基準である製品仕様の最良値表示領域８００８は、製品仕様について、コストの制約を除いた場合に対象製品にとって最適であると設計者であるユーザーが認識した製品の仕様値を示す情報を表示する領域である。
【０１５７】
製品仕様の第二の評価基準である製品仕様のユーザ評価表示領域８００９は、製品仕様の目標値に対して設計者が付与した評価値を示す情報を表示する領域である。
【０１５８】
製品仕様目標値の変更必要度表示領域８０１０は、製品仕様目標値を変更する必要のある度合いを表す変更必要度が記憶される。変更必要度は、例えば、「５５」、「９１．２」等の数値で表される。
【０１５９】
製品仕様目標値の変更必要度ランク表示領域８０１１は、製品仕様目標値を変更する必要のある度合いを元に算出された相対的な変更必要度のランク（順位）を示す情報を表示する領域である。
【０１６０】
変更必要度のランクとは、製品仕様値の低減が必要である「低減候補」および製品仕様値の向上が必要である「向上候補」ごとにその優先度順位をつけたランクである。
【０１６１】
例えば、「低減候補１」は目標値を低減させる対象として最適であると判断される製品仕様に対して付され、「低減候補２」はその次に低減させる対象として適すると判断される仕様に対して付される。
【０１６２】
つまり、「向上候補１」は目標値を向上させる対象として最適であると判断される製品仕様に対して付され、「向上候補２」はその次に向上させる対象として適すると判断される仕様に対して付される。
【０１６３】
構成部品表示領域８０１２は、製品を構成する構成部品について、製品仕様との関連度を示す情報を表示する領域である。
【０１６４】
例えば、製品仕様について、関連度が高い構成部品については製品仕様内で相対的に高い値を表示し、関連度が低い構成部品については相対的に低い値を表示する。
【０１６５】
部品コスト見積値表示領域８０１３は、構成部品表示領域８０１２の構成部品ごとに見積もったコストを示す情報を表示する。
【０１６６】
コスト見積値表示領域８０１４は、部品コスト見積値を合計した値を表示する領域である。
【０１６７】
コスト見積値ウェート（％）表示領域８０１５は、製品仕様ごとに算出したコスト見積値が製品コスト内に占める割合を示す情報を表示する。例えば、割合は百分率で示される。
【０１６８】
図１に説明を戻す。
【０１６９】
送受信部１４０は、ネットワーク１５０に接続し、他の接続された機器に対して情報を送信し、他の接続された機器から情報を受信する。
【０１７０】
入力部１４１は、ユーザーから入力された情報を検知し、入力受付部１３２に受け渡す。
【０１７１】
出力部１４２は、出力表示部１３６等からの表示指示を受けて画面表示等を出力する。
【０１７２】
品質機能展開支援システム１８０は、品質機能展開を支援するシステムである。
【０１７３】
ここでは、品質機能展開支援システム１８０は、ネットワーク１５０を介して品質機能展開の処理結果の問い合わせを受け付けると、製品仕様ごとに、製品仕様名称と、製品仕様単位と、製品仕様重要度と、製品仕様重要度ウェート（％）と、製品仕様の目標値と、ベンチマーク対象製品仕様値と、構成部品と、構成部品と製品仕様との関連度と、コスト見積値合計と、コスト単位と、部品コスト見積値と、行識別子と、を問い合わせ元へ送信する機能を備えるものとする。
【０１７４】
図７は、本実施形態のハードウェア構成を示す図である。
【０１７５】
本実施形態では、図７に示すように、製品仕様目標値決定支援装置１００は、ネットワーク１５０を介して、品質機能展開支援システム１８０と通信を行うことができる。
【０１７６】
製品仕様目標値決定支援装置１００は、例えば、クライアントＰＣ（パーソナルコンピュータ）や、ワークステーション、サーバ装置、各種携帯電話端末、ＰＤＡ（Personal Digital Assistant）などの計算機である。
【０１７７】
製品仕様目標値決定支援装置１００は、入力装置１１１と、出力装置１１２と、通信装置１１３と、演算装置１１４と、主記憶装置１１５と、外部記憶装置１１６と、それぞれの装置を互いに接続するバス１１７と、を有する。
【０１７８】
入力装置１１１は、例えばキーボードやマウス、あるいはタッチペン、その他ポインティングデバイスなどの入力を受け付ける装置である。
【０１７９】
出力装置１１２は、例えばディスプレイなどの、表示を行う装置である
通信装置１１３は、ネットワーク１５０などのネットワークを介して他の装置と通信を行う装置である。
【０１８０】
演算装置１１４は、例えばＣＰＵ（Central Processing Unit）などの演算装置である。
【０１８１】
主記憶装置１１５は、例えばＲＡＭ（Random Access Memory）などのメモリ装置である。
【０１８２】
外部記憶装置１１６は、例えばハードディスク装置やフラッシュメモリなどの不揮発性記憶装置である。
【０１８３】
ここで、ネットワーク１５０は、ＬＡＮ（Local Area Network）や無線ＬＡＮなどの通信網であるが、インターネットや公衆用の無線ＬＡＮなどの公衆網であってもよいし、その他ケーブルテレビ網や携帯電話網などのネットワーク、あるいは電力線ネットワーク等でもよい。
【０１８４】
製品仕様目標値決定支援装置１００の品質展開情報取得部１３１と、入力受付部１３２と、製品仕様見積算出部１３３と、評価値算出部１３４と、変更必要度算出部１３５と、出力表示部１３６と、は、製品仕様目標値決定支援装置１００の演算装置１１４に処理を行わせるプログラムによって実現される。
【０１８５】
このプログラムは、主記憶装置１１５または外部記憶装置１１６内に記憶され、実行にあたって主記憶装置１１５上にロードされ、演算装置１１４により実行される。
【０１８６】
また、製品仕様目標値決定支援装置１００の記憶部１２０は、製品仕様目標値決定支援装置１００の主記憶装置１１５または外部記憶装置１１６により実現される。
【０１８７】
製品仕様目標値決定装置１００の送受信部１４０は、製品仕様目標値決定装置１００の通信装置１１３によって実現される。
【０１８８】
製品仕様目標値決定装置１００の入力部１４１は、製品仕様目標値決定装置１００の入力装置１１１によって実現される。
【０１８９】
製品仕様目標値決定装置１００の出力部１４２は、製品仕様目標値決定装置１００の出力装置１１２によって実現される。
【０１９０】
次に、本実施形態における製品仕様目標値決定支援に関する処理のフローについて、図に基づき説明する。
【０１９１】
図８は、製品仕様目標値決定支援の処理の流れを示すフロー図である。
【０１９２】
まず、入力受付部１３２は、設計者であるユーザーから製品仕様目標値決定支援の処理を開始する指示を受け付ける（ステップＳ１０１）。
【０１９３】
具体的には、処理を開始する指示には、品質機能展開支援システム１８０を特定するための情報であるサーバを識別する情報と、品質機能展開の結果を取得する製品を識別する情報である製品を識別する情報と、が含まれる。
【０１９４】
入力受付部１３２は、処理を開始する指示を受け付けると、品質機能展開情報取得部１３１に処理を受け渡すと共に、サーバを識別する情報と、製品を識別する情報と、を受け渡す。
【０１９５】
そして、品質機能展開情報取得部１３１は、ステップＳ１０１にて入力受付部１３２から処理を受け渡されると、品質機能展開支援システム１８０に対してネットワーク１５０を介して品質機能展開の処理結果の問い合わせを送信する。
【０１９６】
そして、品質機能展開情報取得部１３１は、品質機能展開支援システム１８０から送信される情報を受信し、品質機能展開情報記憶領域１２１の品質機能展開情報テーブル２００に受信した情報を記憶させるよう記憶部１２０に指示する（ステップＳ１０２）。
【０１９７】
具体的には、品質機能展開情報取得部１３１は、入力受付部１３２から受け渡された品質機能展開支援システム１８０のサーバを識別する情報を用いて、品質機能展開支援システム１８０の一のサーバを特定する。そして、特定したサーバに対して、製品を識別する情報を含む品質機能展開の処理結果の問い合わせを送信する。
【０１９８】
そして、出力表示部１３６は、ステップＳ１０２で取得した情報を出力部１４２に表示させる（ステップＳ１０３）。
【０１９９】
具体的には、出力表示部１３６は、ステップＳ１０２で取得した情報を基に画面６００を作成し、出力部１４２に表示させる。
【０２００】
より具体的には、出力表示部１３６は、品質機能展開情報テーブル２００の列識別子欄２０１の情報を列識別子表示領域６０１の情報として出力部１４２に表示させる。
【０２０１】
同様に、出力表示部１３６は、出力部１４２に対して、製品仕様名称欄２０２の情報を製品仕様名称表示領域６０２の情報として表示させ、製品仕様単位欄２０３の情報を製品仕様単位表示領域６０３の情報として表示させ、製品仕様重要度欄２０４の情報を製品仕様重要度表示領域６０４の情報として表示させ、製品仕様重要度ウェート（％）欄２０５の情報を製品仕様重要度ウェート（％）表示領域６０５の情報として表示させ、製品仕様の目標値欄２０６の情報を製品仕様の目標値表示領域６０６の情報として表示させ、ベンチマーク対象製品仕様値欄２０７の情報をベンチマーク対象製品仕様値表示領域６０７の情報として表示させる。
【０２０２】
出力表示部１３６は、製品仕様の第一の評価基準である製品仕様の最良値入力領域６０８と、製品仕様の第二の評価基準である製品仕様のユーザ評価入力領域６０９と、製品の目標コスト入力領域６１２と、については、入力可能に空欄として出力部１４２に表示させる。
【０２０３】
そして、出力表示部１３６は、出力部１４２に対して、構成部品欄２０８の情報を取得して対応する構成部品表示領域６１０の情報として表示させ、コスト見積値合計欄２０９の情報をコスト見積値合計表示領域６１１の情報として表示させ、コスト単位欄２１０の情報をコスト単位表示領域６１３の情報として表示させ、部品コスト見積値欄２１１の情報を対応する部品コスト見積値表示領域６１４の情報として表示させ、行識別子欄２１２の情報を対応する行識別子表示領域６１５の情報として表示させる。
【０２０４】
そして、出力表示部１３６は、作成した画面６００を出力部１４２に表示させる。
【０２０５】
次に、入力受付部１３２は、ステップＳ１０３で表示した画面６００における、製品仕様の第一の評価基準である製品仕様の最良値入力領域６０８と、製品仕様の第二の評価基準である製品仕様のユーザ評価入力領域６０９と、製品の目標コスト入力領域６１２と、に対するユーザーからの入力について入力部１４１を介して受け付け、受け付けた値をそれぞれ、評価情報記憶領域１２２の評価情報テーブル３００に記憶させるよう記憶部１２０に指示する（ステップＳ１０４）。
【０２０６】
具体的には、入力受付部１３２は、ステップＳ１０３で表示した画面６００における、製品仕様の第一の評価基準である製品仕様の最良値入力領域６０８と、製品仕様の第二の評価基準である製品仕様のユーザ評価入力領域６０９と、製品の目標コスト入力領域６１２と、に対するユーザーからの入力を受け付ける。
【０２０７】
そして、入力受付部１３２は、評価情報記憶領域１２２の評価情報テーブル３００のうち、列識別子欄３０１の値と入力を受け付けた製品仕様の列識別子欄６０１の値が一致する製品仕様を特定する。
【０２０８】
そして、入力受付部１３２は、製品仕様の第一の評価基準である製品仕様の最良値入力領域６０８に入力された値を、特定した製品仕様の第一の評価基準である製品仕様の最良値欄３０２に記憶させるよう記憶部１２０に指示する。
【０２０９】
なお、入力受付部１３２は、製品仕様の最良値入力領域６０８に入力がなかった場合には、列識別子欄３０１の値が一致する製品仕様の第一の評価基準である製品仕様の最良値欄３０２に初期値（例えば、９９９９等の最大値）を記憶させるよう記憶部１２０に指示する。
【０２１０】
同様に、入力受付部１３２は、製品仕様の第二の評価基準である製品仕様のユーザ評価入力領域６０９に入力された値を、列識別子欄３０１の値が列識別子欄６０１の値が一致する製品仕様の第二の評価基準である製品仕様のユーザ評価入力欄３０３に記憶させるよう記憶部１２０に指示する。
【０２１１】
なお、入力受付部１３２は、製品仕様のユーザ評価入力領域６０９に入力がなかった場合には、列識別子欄３０１の値が一致する製品仕様の第二の評価基準である製品仕様のユーザ評価入力欄３０３に初期値（例えば、９９９９等の最大値）を記憶させるよう記憶部１２０に指示する。
【０２１２】
そして、入力受付部１３２は、製品の目標コスト入力領域６１２に入力された値を、製品の目標コスト欄３０４に記憶させるよう記憶部１２０に指示する。
【０２１３】
そして、入力受付部１３２は、製品仕様見積算出部１３３に処理を受け渡す。
【０２１４】
次に、製品仕様見積算出部１３３は、製品仕様から構成部品を特定し、製品仕様コスト見積値を算出し、見積情報記憶領域１２３の見積情報テーブル４００に記憶させるよう記憶部１２０に指示する（ステップＳ１０５）。
【０２１５】
あわせて、製品仕様見積算出部１３３は、品質機能展開情報テーブル２００のコスト見積値合計欄２０９に記憶された値に対する各製品仕様コスト見積値の割合を算出し、百分率に換算し、見積情報テーブル４００の製品仕様コスト見積値ウェート（％）欄４０３の欄に記憶させるよう記憶部１２０に指示する。
【０２１６】
そして、製品仕様見積算出部１３３は、品質機能展開情報テーブル２００のコスト見積値合計欄２０９に記憶された値と、評価情報テーブル３００の製品の目標コスト欄３０４に記憶された値と、の比率を求める。
【０２１７】
そして、製品仕様見積算出部１３３は、求めた比率を見積情報テーブル４００のコスト超過の割合欄４０４に記憶させるよう記憶部１２０に指示する。
【０２１８】
次に、評価値算出部１３４は、製品仕様の評価値を算出する（ステップＳ１０６）。
【０２１９】
またあわせて、評価値算出部１３４は、算出した評価値を製品仕様の評価値欄４０２に記憶させるよう記憶部１２０に指示する。
【０２２０】
次に、変更必要度算出部１３５は、製品仕様コスト見積値のウェートと、製品仕様重要度のウェートと、を基に、製品仕様目標値の変更必要度を製品仕様ごとに算出する（ステップＳ１０７）。
【０２２１】
そして、変更必要度算出部１３５は、製品仕様ごとに算出した変更必要度を、変更必要度テーブル５００の製品仕様目標値の変更必要度欄５０２に記憶させるよう記憶部１２０に指示する。
【０２２２】
あわせて、変更必要度算出部１３５は、変更必要度テーブル５００の製品仕様目標値の変更必要度欄５０２に記憶された値を比較して、変更必要度ランクを算出する。
【０２２３】
このようにして付与したランク（順位）を、変更必要度算出部１３５は、変更必要度テーブル５００の製品仕様目標値の変更必要度ランク欄５０３に記憶させるよう記憶部１２０に指示する。
【０２２４】
次に、出力表示部１３６は、変更必要度等の情報を出力部１４２に出力する（ステップＳ１０８）。
【０２２５】
具体的には、出力表示部１３６は、図１０に示す画面７００を構成し、出力部１４２に表示させる。
【０２２６】
出力表示部１３６は、画面７００のグラフ表示領域７０１において、原点を通り、傾きが見積情報テーブル４００のコスト超過の割合欄４０５に記憶された値の逆数である直線７０１３を表示し、製品仕様を示す点７０１４を製品仕様ごとにグラフ表示領域７０１に表示する。
【０２２７】
出力表示部１３６は、点７０１４を表示させる際に、点７０１４の特徴点を特定する。
【０２２８】
具体的には、出力表示部１３６は、点７０１４の位置について、品質機能展開情報テーブル２００の製品仕様重要度ウェート（％）欄２０５に記憶された値から横軸位置を特定し、見積情報テーブル４００の製品仕様コスト見積値ウェート（％）欄４０４に記憶された値から縦軸位置を特定する。
【０２２９】
そして、出力表示部１３６は、点７０１４の形状について、例えば、見積情報テーブル４００の製品仕様の評価値欄４０２に記憶された値が正の値の場合には丸形、値がゼロの場合には四角形、値が負の値の場合には三角形となるように特定する。
【０２３０】
また、出力表示部１３６は、点７０１４の大きさ（面積）について、見積情報テーブル４００の製品仕様の評価値欄４０２に記憶された値の絶対値に比例させて特定する。すなわち、評価値の絶対値が大きければ、点７０１４の大きさ（面積）を大きくする。
【０２３１】
また、出力表示部１３６は、点７０１４の色（濃度）について、変更必要度テーブル５００の製品仕様目標値の変更必要度欄５０２に記憶された値の絶対値に比例させて特定する。すなわち、変更必要度の絶対値が大きければ、点７０１４の濃度は高くする。カラー表示する場合には、より目立つよう原色に近い色に特定してもよい。
【０２３２】
出力表示部１３６は、このようにグラフ表示領域７０１を作画する。
【０２３３】
そして、出力表示部１３６は、コスト情報表示領域７０２について表示する情報を取得して出力部１４２に表示させる。
【０２３４】
具体的には、出力表示部１３６は、品質機能展開情報テーブル２００のコスト見積値合計欄２０９に記憶された値を取得して、出力部１４２に対してコスト見積値合計表示領域７０２１に表示させるよう指示する。
【０２３５】
出力表示部１３６は、コスト単位欄２１０に記憶された値を取得して、出力部１４２に対してコスト単位表示領域７０２４に表示させるよう指示する。
【０２３６】
また、出力表示部１３６は、出力部１４２に対して、評価情報テーブル３００の製品の目標コスト欄３０４に記憶された値を取得して、製品の目標コスト表示領域７０２２に表示させるよう指示する。
【０２３７】
そして、出力表示部１３６は、見積情報テーブル４００のコスト超過の割合欄４０５に記憶された値を取得して、コスト超過の割合表示領域７０２３に表示させるよう出力部１４２に指示する。
【０２３８】
このようにして、出力表示部１３６は、コスト情報表示領域７０２を出力部１４２に表示させる。
【０２３９】
次に、入力受付部１３２は、画面７００に示される点７０１４について詳細表示を行う指示を受け付けると、詳細表示するよう指示のあった点が示す製品仕様について特定し、出力表示部１３６へ製品仕様の詳細を表示するよう指示する。
【０２４０】
出力表示部１３６は、入力受付部１３２から製品仕様の詳細を表示する指示を受け付けると、詳細を表示する製品仕様について詳細な情報を取得し、出力部１４２に対して製品仕様詳細表示領域８００を表示するよう指示する。
【０２４１】
具体的には、出力表示部１３６は、品質機能展開情報テーブル２００の製品仕様名称欄２０２の情報を、製品仕様名称表示領域８００１の情報として出力部１４２に表示させる。
【０２４２】
同様に、出力表示部１３６は、出力部１４２に対して、製品仕様単位欄２０３の情報を製品仕様単位表示領域８００２の情報として表示させ、製品仕様重要度欄２０４の情報を製品仕様重要度表示領域８００３の情報として表示させ、製品仕様重要度ウェート（％）欄２０５の情報を製品仕様重要度ウェート（％）表示領域８００４の情報として表示させ、製品仕様の目標値欄２０６の情報を製品仕様の目標値表示領域８００５の情報として表示させ、ベンチマーク対象製品仕様値欄２０７の情報をベンチマーク対象製品仕様値表示領域８００６の情報として表示させる。
【０２４３】
また、出力表示部１３６は、見積情報テーブル４００の製品仕様の評価値欄４０２の情報を製品仕様の評価値表示領域８００７の情報として出力部１４２に表示させる。
【０２４４】
そして、出力表示部１３６は、評価情報テーブル３００の製品仕様の第一の評価基準である製品仕様の最良値欄３０２に記憶された情報を、製品仕様の第一の評価基準である製品仕様の最良値表示領域８００８に表示するよう出力部１４２に指示する。
【０２４５】
そして、出力表示部１３６は、評価情報テーブル３００の製品仕様の第二の評価基準である製品仕様のユーザ評価欄３０３に記憶された情報を、製品仕様の第二の評価基準である製品仕様のユーザ評価表示領域８００９に表示するよう出力部１４２に指示する。
【０２４６】
そして、出力表示部１３６は、変更必要度テーブル５００の製品仕様目標値の変更必要度欄５０２に記憶された情報を、製品仕様目標値の変更必要度表示領域８０１０に表示するよう出力部１４２に指示する。
【０２４７】
そして、出力表示部１３６は、変更必要度テーブル５００の製品仕様目標値の変更必要度ランク欄５０３に記憶された情報を、製品仕様目標値の変更必要度ランク表示領域８０１１に表示するよう出力部１４２に指示する。
【０２４８】
そして、出力表示部１３６は、出力部１４２に対して、品質機能展開情報テーブル２００の構成部品欄２０８の情報を取得して対応する構成部品表示領域８０１２の情報として表示させ、部品コスト見積値欄２１１の情報を対応する部品コスト見積値表示領域８０１３の情報として表示させ、コスト見積値合計欄２０９の情報をコスト見積値表示領域８０１４の情報として表示させる。
【０２４９】
そして、出力表示部１３６は、見積情報テーブル４００の製品仕様コスト見積値ウェート（％）欄４０４に記憶された情報をコスト見積値ウェート（％）表示領域８０１５の情報として出力部１４２に表示させる。
【０２５０】
そして、出力表示部１３６は、作成した製品仕様詳細表示領域８００を出力部１４２に表示するよう指示する。
【０２５１】
このようにすることで、ユーザーは、画面７００を一目し、直線７０１３の傾きが１よりも大きい場合には製品仕様の目標値の向上を優先的に検討し、傾きが１よりも小さい場合には製品仕様の目標値の低減を優先的に検討する、という設計方針についての判断が可能となる。
【０２５２】
また、ユーザーは、画面７００の点の位置と直線７０１３の位置関係により、個々の製品仕様の目標値の修正の方向を一目で判断することができる。
【０２５３】
すなわち、ユーザーは、直線７０１３の左上方にある製品仕様については、重要度が相対的に低く、コストが相対的に高いものであることが分かるため、製品仕様を低減させることで設計コストのバランスを整えることができる。直線右下方にある製品仕様については、重要度が相対的に高く、コストが相対的に低いものであることが分かるため、製品仕様を向上させることが有用であることが分かる。
【０２５４】
このように、ユーザーは、画面７００に表示される情報により、製品仕様の目標値の変更を行うべき対象を容易に把握することができるようになる。
【０２５５】
以上、本発明について、実施の形態に基づき具体的に説明したが、これに限定されるものではなく、その要旨を逸脱しない範囲で種々の変更が可能である。
【０２５６】
例えば、製品仕様目標値決定支援装置１００は、品質機能展開システム１８０に対して、ネットワーク１５０を介して通信を行うように、すなわち別の装置として実現しているが、これに限らず、例えば同一の装置上に実装してもよい。
【０２５７】
また例えば、製品仕様目標値決定支援装置１００の出力表示部１３６を、作成した画面をHTTP（Hyper Text Transfer Protocol）などの通信プロトコルによりネットワーク１５０に接続された機器に送信するように変更し、入力受付部１３２を、ネットワーク１５０に接続された機器から操作指示を受け付けるように変更することで、ネットワーク１５０に接続された他の端末に対して画面７００を表示させることができるようになり、機器構成の自由度を増加させることができる。
【０２５８】
なお、上記の製品仕様目標値決定支援システム１は、システムとして取引対象とするだけでなく、各機器単位、または機器の動作を実現するプログラム部品単位で取引対象とすることも可能である。
【図面の簡単な説明】
【０２５９】
【図１】本実施形態の製品仕様目標値決定支援システムの構成図である。
【図２】本実施形態における品質機能展開情報テーブルのデータ構造を示す図である。
【図３】本実施形態における評価情報テーブルのデータ構造を示す図である。
【図４】本実施形態における見積情報テーブルのデータ構造を示す図である。
【図５】本実施形態における変更必要度テーブルのデータ構造を示す図である。
【図６】本実施形態における処理とデータの流れの関係を示す図である。
【図７】本実施形態のハードウェア構成を示す図である。
【図８】本実施形態の製品仕様目標値決定支援処理の処理フローを示す図である。
【図９】本実施形態の製品仕様の入力を受け付ける画面例を示す図である。
【図１０】本実施形態における変更必要度等の情報を表示する画面例を示す図である。
【図１１】本実施形態における変更必要度をグラフにて表示する画面例を示す図である。
【符号の説明】
【０２６０】
１：製品仕様目標値決定支援システム、１００：製品仕様目標値決定支援装置、１２０：記憶部、１２１：品質機能展開情報記憶領域、１２２：評価情報記憶領域、１２３：見積情報記憶領域、１２４：変更必要度記憶領域、１３０：制御部、１３１：品質機能展開情報取得部、１３２：入力受付部、１３３：製品仕様見積算出部、１３４：評価値算出部、１３５：変更必要度算出部、１３６：出力表示部、１４０：送受信部、１４１：入力部、１４２：出力部、１５０：ネットワーク、１８０：品質機能展開支援システム、２００：品質機能展開情報テーブル、３００：評価情報テーブル、４００：見積情報テーブル、５００：変更必要度テーブル
【図１】
2009187294.tif 000005
【図２】
2009187294.tif 000006
【図３】
2009187294.tif 000007
【図４】
2009187294.tif 000008
【図５】
2009187294.tif 000009
【図６】
2009187294.tif 000010
【図７】
2009187294.tif 000011
【図８】
2009187294.tif 000012
【図９】
2009187294.tif 000013
【図１０】
2009187294.tif 000014
【図１１】
2009187294.tif 000015